(57)【要約】【課題】グラップレールの高さが調整可能な、高さ調整可能な腕立て伏せ補助具を提供する。【解決手段】高さ調整可能な腕立て伏せ補助具は、２つのベース１と、グラップレール２とを備える。ベース１は、中央部に嵌着孔１１が形成される。嵌着孔１１内には、位置決め片１２が配設される。グラップレール２は、把持部２１と、把持部２１の両端に結合された嵌入杆２２と、を有する。嵌入杆２２の末端口には、位置決め片１２に対応した箇所に、複数の様々な深さの嵌合溝２２１が内方に形成され、嵌合溝２２１に位置決め片１２が嵌設されると、様々な高さのグラップレール２が形成される。グラップレール２の表面には、符号Ａが設けられる。ベース１上には、符号Ａに対応した複数組の高さ指示符号Ｂが設けられる。【選択図】図１
0003232194.tif 000002
【実用新案登録請求の範囲】
【請求項１】
２つのベースと、グラップレールとを備えた、高さ調整可能な腕立て伏せ補助具であって、
前記ベースは、中央部に嵌着孔が形成され、前記嵌着孔内には、位置決め片が配設され、
前記グラップレールは、把持部と、前記把持部の両端に結合された嵌入杆と、を有し、
前記嵌入杆の末端口には、前記位置決め片に対応した箇所に、複数の様々な深さの嵌合溝が内方に形成され、
前記嵌合溝に前記位置決め片が嵌設されると、様々な高さの前記グラップレールが形成されることを特徴とする、
高さ調整可能な腕立て伏せ補助具。
【請求項２】
２つのスリーブをさらに備え、前記スリーブは、一端に前記グラップレールの前記把持部の両端がそれぞれ対応して嵌着され、他端に前記嵌入杆が嵌着されて接続され、前記嵌入杆が前記把持部の両端に結合されることを特徴とする請求項１に記載の高さ調整可能な腕立て伏せ補助具。
【請求項３】
前記グラップレールの表面には、符号が設けられ、前記ベース上には、前記符号に対応した複数組の高さ指示符号が設けられることを特徴とする請求項１に記載の高さ調整可能な腕立て伏せ補助具。
【考案の詳細な説明】
【技術分野】
【０００１】
本考案は、高さ調整可能な腕立て伏せ補助具に関し、特に、グラップレール（ｇｒａｐｒａｉｌ）の高さが調整可能な、高さ調整可能な腕立て伏せ補助具に関する。
【背景技術】
【０００２】
現代社会では、仕事が忙しくて運動不足となり易いため、市販されているトレーニングマシーンを自宅に置いて、空いた時間にトレーニングを行うことが多い。一般のトレーニングマシーンは、体積が大きいため、広いスペースをとってしまう上、簡単に移動させることができない。これに対し、例えば、ステッパー、腕立て伏せ補助具、トレーニングチューブなどの小型のトレーニングマシーンは、体積が小さいため自宅の広いスペースをとらず、何時でもトレーニングすることができるため、多くの現代人に人気がある。
【０００３】
例えば、トレーニングチューブは、主に引張り力を作用させるバネの両側にハンドルがそれぞれ設けられ、使用者がトレーニングチューブを使用すると、胸筋、二頭筋などの身体の部位をトレーニングして身体を鍛えることができる他、身体の見た目を良くし、素晴らしい体型にすることができる。
腕立て伏せ補助具は、上半身の筋力を鍛えるために用いる運動器具であり、２つの支持ベース及び把持部材を含む。各支持ベースは、横管及び縦管により構成される。縦管の直立部は、横管の中段部と接続される。把持部材は、把持部を有する。把持部材の両端のそれぞれは、下向きに曲がって延びて挿着部が形成される。各挿着部は、各支持ベースの縦管にそれぞれ挿設される。
【０００４】
使用者が腕立て伏せ補助具を使用して腕立て伏せを行う場合、掌で把持部を握り、地面又は床に手を付く必要がないため、掌が汚れたり地面で滑る危険性がない。しかし、従来の腕立て伏せ補助具は、個人の好み又はトレーニング強度に応じて把持部と地面又は床との空間上の対応状態を変えることはできないため、単一部位の筋肉しか鍛えることができず、使用者は単調なため面白みを感じない上、身体を鍛えて素晴らしい体型にすることができないという問題点があった。
【０００５】
こうした現状に鑑み、本考案者は鋭意研究を重ねた結果、実用的価値のある高さ調整可能な腕立て伏せ補助具を完成したものである。
【考案の概要】
【考案が解決しようとする課題】
【０００６】
本考案の主な目的は、グラップレールの高さが調整可能な、高さ調整可能な腕立て伏せ補助具を提供することにある。
【課題を解決するための手段】
【０００７】
上記課題を解決するために、本考案の第１の形態によれば、２つのベースと、グラップレールとを備えた、高さ調整可能な腕立て伏せ補助具であって、前記ベースは、中央部に嵌着孔が形成され、前記嵌着孔内には、位置決め片が配設され、前記グラップレールは、把持部と、前記把持部の両端に結合された嵌入杆と、を有し、前記嵌入杆の末端口には、前記位置決め片に対応した箇所に、複数の様々な深さの嵌合溝が内方に形成され、前記嵌合溝に前記位置決め片が嵌設されると、様々な高さの前記グラップレールが形成されることを特徴とする、高さ調整可能な腕立て伏せ補助具を提供する。
【０００８】
２つのスリーブをさらに備え、前記スリーブは、一端に前記グラップレールの前記把持部の両端がそれぞれ対応して嵌着され、他端に前記嵌入杆が嵌着されて接続され、前記嵌入杆が前記把持部の両端に結合されることが好ましい。
【０００９】
前記グラップレールの表面には、符号が設けられ、前記ベース上には、前記符号に対応した複数組の高さ指示符号が設けられることが好ましい。
【図面の簡単な説明】
【００１０】
【図１】本考案の一実施形態に係る高さ調整可能な腕立て伏せ補助具を示す分解斜視図である。
【図２】本考案の一実施形態に係る高さ調整可能な腕立て伏せ補助具を示す部分透視図である。
【図３】本考案の一実施形態に係る高さ調整可能な腕立て伏せ補助具を示す組立斜視図である。
【図４】本考案の一実施形態に係る高さ調整可能な腕立て伏せ補助具を様々な高さに組み立てる断面斜視図（１）である。
【図５】本考案の一実施形態に係る高さ調整可能な腕立て伏せ補助具を様々な高さに組み立てる断面図（１）である。
【図６】本考案の一実施形態に係る高さ調整可能な腕立て伏せ補助具を様々な高さに組み立てる断面斜視図（２）である。
【図７】本考案の一実施形態に係る高さ調整可能な腕立て伏せ補助具を様々な高さに組み立てる断面図（２）である。
【図８】本考案の一実施形態に係る高さ調整可能な腕立て伏せ補助具を様々な高さに組み立てる断面斜視図（３）である。
【図９】本考案の一実施形態に係る高さ調整可能な腕立て伏せ補助具を様々な高さに組み立てる断面図（３）である。
【図１０】本考案の他の実施形態に係る高さ調整可能な腕立て伏せ補助具を示す分解斜視図である。
【図１１】本考案の他の実施形態に係る高さ調整可能な腕立て伏せ補助具を示す組立斜視図である。
【考案を実施するための形態】
【００１１】
本考案の技術手段及びそれにより達成可能な効果を、より完全かつ明白に開示するために、開示した添付の図面及び符号と併せて本考案を以下に詳説する。
【００１２】
まず、図１〜図３を参照する。図１は、本考案の一実施形態に係る高さ調整可能な腕立て伏せ補助具を示す分解斜視図である。図２は、本考案の一実施形態に係る高さ調整可能な腕立て伏せ補助具を示す部分透視図である。図３は、本考案の一実施形態に係る高さ調整可能な腕立て伏せ補助具を示す組立斜視図である。
図１〜図３に示すように、本考案の一実施形態に係る高さ調整可能な腕立て伏せ補助具は、少なくとも２つのベース１と、グラップレール２と、から構成されてなる。
【００１３】
２つのベース１は、中央部に嵌着孔１１が形成される。上述された嵌着孔１１内には、位置決め片１２が配設される。
【００１４】
グラップレール２は、把持部２１と、上述した把持部２１の両端に結合された嵌入杆２２と、を有する。嵌入杆２２の末端口には、上述した位置決め片１２に対応した箇所に、複数の様々な深さの嵌合溝２２１が内方に形成される。上述した嵌合溝２２１に上述した位置決め片１２が嵌設されると、様々な高さのグラップレール２が形成される。
【００１５】
図４〜図９を参照する。図４〜図９に示すように、実際に使用して組み立てる際、使用者は、鍛えたい筋群に応じて自らグラップレール２の位置を調整することにより、腕立て伏せを行う際、脚部、胸部、臀部などのトレーニングに応用し、グラップレール２の高さを変えることにより上肢、腰部、腹部の筋肉と、その筋肉群が有する大胸筋、上腕三頭筋などの部位とをトレーニングしたり、三角筋前部、前鋸筋、烏口腕筋及び他の部位をトレーニングしたりすることができる。
【００１６】
使用者が容易に高さ調整できるように、上述したグラップレール２の表面には、符号Ａが設けられている。上述した符号Ａは、例えば、矢印、指示線などである。上述したベース１は、本実施形態では六角形であるが、勿論、例えば四角形、六角形、八角形など他の多角形でもよい。上述した多角形ベース１の対をなす２つの隅部には、様々な高さの高さ指示符号Ｂがそれぞれ設けられ、例えば、「１」、「２」、「３」などで表された三種類の高さから選択することができる。使用者が高さを調整するとき、符号Ａが対応した様々な高さ指示符号Ｂを選択するだけで、所望の高さに簡単かつ速やかに調整することができる。
図４及び図５に示すように、上述したグラップレール２上の矢印の符号Ａを、上述した多角形ベース１の「１」の位置に対応させて嵌設すると、多角形ベース１内の位置決め片１２が「１」の方向に対応した嵌合溝２２１に嵌着される。この場合、嵌合溝２２１は浅溝であるため、上述したグラップレール２が高い位置に取付けられる。
図６及び図７に示すように、上述したグラップレール２上の矢印符号Ａを、上述した多角形ベース１上の「２」の位置に対応させて嵌設すると、多角形ベース１内の位置決め片１２が「２」の方向に対応した嵌合溝２２１に嵌着される。この場合、嵌合溝２２１は中浅溝であるため、上述したグラップレール２が中間の高さに取付けられる（図８及び図９に示す）。上述したグラップレール２上の矢印符号Ａを、上述した多角形ベース１上の「３」の位置に対応させて嵌設すると、多角形ベース１内の位置決め片１２が「３」の方向に対応した嵌合溝２２１に嵌着される。この場合、嵌合溝２２１は深溝であるため、上述したグラップレール２が低い位置に取付けられる。
【００１７】
上述したグラップレール２の把持部２１の両端には、嵌入杆２２が一体的に延長形成されているが（図１を参照）、図１０及び図１１に示すように、本考案の他の実施形態では、前述したグラップレール２の把持部２１と嵌入杆２２とが独立した部材である場合、２つのスリーブ３をさらに含んでもよい。上述したスリーブ３は、一端に上述したグラップレール２の把持部２１の両端がそれぞれ対応して嵌着され、他端に上述した嵌入杆２２が嵌着されて接続され、上述した嵌入杆２２が上述した把持部２１の両端に結合される。上述したスリーブ３の表面には、符号Ａが設けられる。
【００１８】
上述したベース１の下方には、滑止めガスケット（ｇａｓｋｅｔ）１０が設けられているため、腕立て伏せ補助具を実際に使用する際、腕立て伏せ補助具が不用意に変移しないため、使用者は安全に使用することができる上、使用者が把持するグラップレール２が水平又は傾いて設けられ、上述した把持部２１の表面には、使用者が把持する保護カバー２０が設けられる。
【００１９】
上述したことから分かるように、本考案の高さ調整可能な腕立て伏せ補助具は、従来の構造と比べ、以下（１）及び（２）の長所を有する。
（１）位置決め片を様々な深さの嵌合溝に対応して嵌着し、グラップレールの高さを調整することができるため、様々な筋肉群をトレーニングし、身体を鍛えて素晴らしい体型が得られる。
（２）位置決め片を嵌合溝に嵌着することで、使用者が容易に操作調整できるため、使用し易い。
【符号の説明】
【００２０】
１  ベース
２  グラップレール
３  スリーブ
１０  滑止めガスケット
１１  嵌着孔
１２  位置決め片
２０  保護カバー
２１  把持部
２２  嵌入杆
２２１  嵌合溝
Ａ  符号
Ｂ  高さ指示符号
【図１】
0003232194.tif 000003
【図２】
0003232194.tif 000004
【図３】
0003232194.tif 000005
【図４】
0003232194.tif 000006
【図５】
0003232194.tif 000007
【図６】
0003232194.tif 000008
【図７】
0003232194.tif 000009
【図８】
0003232194.tif 000010
【図９】
0003232194.tif 000011
【図１０】
0003232194.tif 000012
【図１１】
0003232194.tif 000013